(57)【要約】【課題】巻き取り収納が可能であり、巻き取り時に筋状の跡等が付かず使用時の平面性を保つことができる巻き取り型反射スクリーン、及び、これを備えた反射型映像表示システムを提供する。【解決手段】巻き芯１２０の円筒面を覆うように、弾性体を用いて形成された両面テープである第１の被覆部材１３０を貼付し、巻き芯１２０の長手方向に溝状のスクリーン先端挿入部１４０を形成する。スクリーン本体１１０の先端部１１０ａをスクリーン先端挿入部１４０に挿入し、スクリーン本体１１０を、第１の被覆部材１３０を介して巻き芯１２０に巻きつけて接合する。【選択図】図２
2007148342.tif 000002
【特許請求の範囲】
【請求項１】
映像源から投影された映像光を反射させて観察可能とするスクリーン本体と、
前記スクリーン本体を円筒面に巻き取り可能な巻き芯と、
前記円筒面を覆うように設けられた第１の被覆部材と、
前記第１の被覆部材の表面よりも底面の低い溝形状であって、前記スクリーン本体の先端部が挿入されたスクリーン先端挿入部と、
を備える巻き取り型反射スクリーン。
【請求項２】
請求項１に記載の巻き取り型反射スクリーンにおいて、
前記スクリーン本体は、映像光を反射する映写可能領域と、前記巻き芯と前記映写可能領域との間に設けられた接続部とを有し、
前記スクリーン先端挿入部には、前記接続部が挿入されていること、
を特徴とする巻き取り型反射スクリーン。
【請求項３】
請求項１又は請求項２に記載の巻き取り型反射スクリーンにおいて、
前記スクリーン先端挿入部は、前記第１の被覆部材が前記円筒面を部分的に覆わないようにして形成されていること、
を特徴とする巻き取り型反射スクリーン。
【請求項４】
請求項１から請求項３までのいずれか１項に記載の巻き取り型反射スクリーンにおいて、
前記第１の被覆部材は、シート状の部材であること、
を特徴とする巻き取り型反射スクリーン。
【請求項５】
請求項１から請求項４までのいずれか１項に記載の巻き取り型反射スクリーンにおいて、
前記第１の被覆部材は、弾性体によって形成されていること、
を特徴とする巻き取り型反射スクリーン。
【請求項６】
請求項１から請求項５までのいずれか１項に記載の巻き取り型反射スクリーンにおいて、
前記第１の被覆部材は、ポリエチレン、変性ポリエチレン、アクリル、ウレタン、ポリ塩化ビニルのうち少なくとも１つを用いて形成されていること、
を特徴とする巻き取り型反射スクリーン。
【請求項７】
請求項１から請求項６までのいずれか１項に記載の巻き取り型反射スクリーンにおいて、
前記スクリーン先端挿入部は、前記巻き芯の長手方向に延在して設けられていること、
を特徴とする巻き取り型反射スクリーン。
【請求項８】
請求項１から請求項７までのいずれか１項に記載の巻き取り型反射スクリーンにおいて、
前記第１の被覆部材は、粘着性又は接着性を有するシート状の部材により前記巻き芯と接合されること、
を特徴とする巻き取り型反射スクリーン。
【請求項９】
請求項１から請求項７までのいずれか１項に記載の巻き取り型反射スクリーンにおいて、
前記第１の被覆部材は、その両面に粘着性又は接着性を有する層が形成されていること、
を特徴とする巻き取り型反射スクリーン
【請求項１０】
請求項１から請求項９までのいずれか１項に記載の巻き取り型反射スクリーンにおいて、
前記スクリーン先端挿入部は、その幅が０．１〜５ｍｍであること、
を特徴とする巻き取り型反射スクリーン。
【請求項１１】
請求項１から請求項１０までのいずれか１項に記載の巻き取り型反射スクリーンにおいて、
前記第１の被覆部材は、その厚みが０．１〜３ｍｍであること、
を特徴とする巻き取り型反射スクリーン。
【請求項１２】
請求項１から請求項１１までのいずれか１項に記載の巻き取り型反射スクリーンにおいて、
前記スクリーン先端挿入部及び前記スクリーン本体の先端部を覆うように貼り付けられた、シート状の第２の被覆部材を有すること、
を特徴とする巻き取り型反射スクリーン。
【請求項１３】
請求項１２に記載の巻き取り型反射スクリーンにおいて、
前記第２の被覆部材は、その厚みが１００μｍ以下であること、
を特徴とする巻き取り型反射スクリーン。
【請求項１４】
請求項１から請求項１３までのいずれか１項に記載の巻き取り型反射スクリーンと、
前記巻き取り型反射スクリーンに映像光を投射する前記映像源と、
を備えた反射型映像表示システム。
【発明の詳細な説明】
【技術分野】
【０００１】
本発明は、映像光を観察側から投影して観察可能に表示する巻き取り型反射スクリーン、反射型映像表示システムに関するものである。
【背景技術】
【０００２】
近年、プロジェクターにより映像光を投射し、大画面のスクリーンで映像を楽しめるホームシアター等の低価格化が進み、一般家庭等にも普及し始めている。このようなスクリーンの中でも、反射スクリーンは、不使用時には巻き取って収納できるタイプのものが広く普及している。
そのような巻き取り可能な反射スクリーンでは、スクリーン本体を巻き芯に巻き取って収納するために、スクリーン本体の一方の端部は、巻き芯の周面に軸方向（長手方向）に沿って接着材を用いて貼り付ける等して、取り付けられている。
そのため、巻き芯の周面と、巻き芯に取り付けられたスクリーン本体の厚みによる段差が生じる。巻き芯に巻き取った収納状態で長期間放置すると、巻き取られたスクリーン本体の段差と重なる位置に、筋状の曲げクセが跡となって残る（以下、これを巻き段とする）。この巻き段が生じると、使用時に、スクリーンの平面性が不十分になり、映像が歪んで観察されてしまうという問題があった。
【０００３】
この問題を解決するために、特許文献１では、スクリーンの巻き取り軸（巻き芯）に対して直交する方向のスクリーン本体両端部に、巻上方向に沿って肉厚部を設ける手法が開示されている。また、特許文献２では、スクリーンの巻き取り軸に対して直交する方向のスクリーン本体と密接する巻き取り軸の周面に、突出部を設ける手法が開示されている。
しかし、特許文献１に開示された手法では、巻き取ったスクリーンの径が大きくなり、収納時にかさ張るという問題があった。また、スクリーン本体両端部に映像を写す領域とは別に肉厚部を設けるための領域を余分に設けなくてはならないという問題があった。さらに、肉厚部に巻き段がついてしまう形態であるのため、この肉厚部についた巻き段によって、スクリーン本体中央の映像領域が歪むという問題があった。
特許文献２に開示された手法では、巻き芯の両端部に突出部を設けるための領域を余分に設けなくてはならないという問題があった。また、スクリーン本体は、突出部の切溝に通されて巻き取り軸に取り付けられる形態であるため、スクリーンの両端部には巻き段が生じてしまい、スクリーン本体中央の映像領域に歪みが生じるという問題があった。
また、特許文献１及び特許文献２に開示された手法は、ともに、スクリーン本体の両端を支持する形状であるので、長期の保管等によって、スクリーン中央部がたるむという問題があった。
【０００４】
一方、特許文献３及び特許文献４では、スクリーン本体の厚みに相当する段差を、予め、巻き取り軸の周面に軸方向に沿って低周面部と高周面部とによる切欠部として設け、巻き取り軸の両端部にその周面と両端部の切欠部に沿って肉厚部材を巻回貼着し、その肉厚部材の上にスクリーン本体が貼付される手法が開示されている。
しかし、特許文献３及び特許文献４に記載の手法では、巻き取り軸の形状が複雑であることや、各部材を取り付ける工程が多いこと等により、製造が容易ではないという問題があった。
【０００５】
【特許文献１】特許第２９８５６３４号公報
【特許文献２】特許第２９４７０４５号公報
【特許文献３】特許第２９７９９６８号公報
【特許文献４】特許第３３０３５１１号公報
【発明の開示】
【発明が解決しようとする課題】
【０００６】
本発明の課題は、巻き取り収納が可能であり、スクリーン本体に筋状の跡等の巻き段が付かず、使用時に平面性を保つことができる巻き取り型反射スクリーン、及び、これを備えた反射型映像表示システムを提供することである。
【課題を解決するための手段】
【０００７】
本発明は、以下のような解決手段により、前記課題を解決する。なお、理解を容易にするために、本発明の実施例に対応する符号を付して説明するが、これに限定されるものではない。
請求項１の発明は、映像源（Ｌ）から投影された映像光を反射させて観察可能とするスクリーン本体（１１０，２１０，８１０）と、前記スクリーン本体を円筒面に巻き取り可能な巻き芯（１２０）と、前記円筒面を覆うように設けられた第１の被覆部材（１３０，２３０，３３０，４３０，５３０）と、前記第１の被覆部材の表面よりも底面の低い溝形状であって、前記スクリーン本体の先端部が挿入されたスクリーン先端挿入部（１４０，２４０，３４０，４４０，５４０）と、を備える巻き取り型反射スクリーン。（１０，２０，３０，４０，５０，８０）である。
請求項２の発明は、請求項１に記載の巻き取り型反射スクリーンにおいて、前記スクリーン本体（８１０）は、映像光を反射する映写可能領域（８１１）と、前記巻き芯と前記映写可能領域との間に設けられた接続部（８１２）とを有し、前記スクリーン先端挿入部には、前記接続部が挿入されていること、を特徴とする巻き取り型反射スクリーン（８０）である。
請求項３の発明は、請求項１又は請求項２に記載の巻き取り型反射スクリーンにおいて、前記スクリーン先端挿入部（１４０，２４０，３４０，４４０，５４０）は、前記第１の被覆部材（１３０，２３０，３３０，４３０，５３０）が前記円筒面を部分的に覆わないようにして形成されていること、を特徴とする巻き取り型反射スクリーン（１０，２０，３０，４０，５０）である。
請求項４の発明は、請求項１から請求項３までのいずれか１項に記載の巻き取り型反射スクリーンにおいて、前記第１の被覆部材（１３０，２３０，３３０，４３０，５３０）は、シート状の部材であること、を特徴とする巻き取り型反射スクリーン（１０，２０，３０，４０，５０）である。
請求項５の発明は、請求項１から請求項４までのいずれか１項に記載の巻き取り型反射スクリーンにおいて、前記第１の被覆部材（１３０，２３０，３３０，４３０，５３０）は、弾性体によって形成されていること、を特徴とする巻き取り型反射スクリーン（１０，２０，３０，４０，５０）である。
請求項６の発明は、請求項１から請求項５までのいずれか１項に記載の巻き取り型反射スクリーンにおいて、前記第１の被覆部材（１３０，２３０，３３０，４３０）は、ポリエチレン、変性ポリエチレン、アクリル、ウレタン、ポリ塩化ビニルのうち少なくとも１つを用いて形成されていること、を特徴とする巻き取り型反射スクリーン（１０，２０，３０，４０）である。
請求項７の発明は、請求項１から請求項６までのいずれか１項に記載の巻き取り型反射スクリーンにおいて、前記スクリーン先端挿入部（１４０，２４０，３４０，４４０，５４０）は、前記巻き芯（１２０）の長手方向に延在して設けられていること、を特徴とする巻き取り型反射スクリーン（１０，２０，３０，４０，５０）である。
請求項８の発明は、請求項１から請求項７までのいずれか１項に記載の巻き取り型反射スクリーンにおいて、前記第１の被覆部材（３３０）は、粘着性又は接着性を有するシート状の部材（３６０）により前記巻き芯（１２０）と接合されること、を特徴とする巻き取り型反射スクリーン（３０）である。
請求項９の発明は、請求項１から請求項７までのいずれか１項に記載の巻き取り型反射スクリーンにおいて、前記第１の被覆部材（１３０，２３０，４３０，５３０）は、その両面に粘着性又は接着性を有する層が形成されていること、を特徴とする巻き取り型反射スクリーン（１０，２０，４０，５０）である。
請求項１０の発明は、請求項１から請求項８までのいずれか１項に記載の巻き取り型反射スクリーンにおいて、前記スクリーン先端挿入部（１４０，２４０，３４０，５４０）は、その幅が０．１〜５ｍｍであること、を特徴とする巻き取り型反射スクリーン（１０，２０，３０，５０）である。
請求項１１の発明は、請求項１から請求項１０までのいずれか１項に記載の巻き取り型反射スクリーンにおいて、前記第１の被覆部材（１３０，２３０，３３０，４３０）は、その厚みが０．１〜３ｍｍであること、を特徴とする巻き取り型反射スクリーン（１０，２０，３０，４０）である。
請求項１２の発明は、請求項１から請求項１１までのいずれか１項に記載の巻き取り型反射スクリーンにおいて、前記スクリーン先端挿入部（２４０，３４０）及び前記スクリーン本体の先端部（２１０ａ）を覆うように貼り付けられた、シート状の第２の被覆部材（２５０）を有すること、を特徴とする巻き取り型反射スクリーン（２０，３０）である。
請求項１３の発明は、請求項１２に記載の巻き取り型反射スクリーンにおいて、前記第２の被覆部材（２５０）は、その厚みが１００μｍ以下であること、を特徴とする巻き取り型反射スクリーン（２０，３０）である。
請求項１４の発明は、請求項１から請求項１３までのいずれか１項に記載の巻き取り型反射スクリーン（１０，２０，３０，４０，５０，８０）と、前記巻き取り型反射スクリーンに映像光を投射する前記映像源（Ｌ）と、を備えた反射型映像表示システムである。
【発明の効果】
【０００８】
本発明によれば、以下の効果を奏することができる。
（１）巻き取り型反射スクリーンは、第１の被覆部材の表面よりも底面の低い溝形状であって、スクリーン本体の先端部が挿入されたスクリーン先端挿入部を有するので、スクリーン本体を巻き芯に巻き取って長期間保管する場合等に、スクリーン本体の表面と円筒面との段差によってスクリーン本体に筋状に生じる巻き段の発生を防止できる。従って、使用時にスクリーンの平面性を高く維持することができる。
また、巻き芯は円筒面を有した略円筒形状であるので、形成が容易であり、また、巻き取りも容易である。
【０００９】
（２）スクリーン本体は、映像光を反射する映写可能領域と、巻き芯と映写可能領域との間に設けられた接続部とを有し、スクリーン先端挿入部には、接続部が挿入されているので、巻き芯の外周面と接続部の表面との段差によって生じる巻き段を防止できる。
【００１０】
（３）スクリーン先端挿入部は、第１の被覆部材が円筒面を部分的に覆わないようにして形成されているので、第１の被覆部材を巻き芯に巻きつけるだけで容易に形成できる。
【００１１】
（４）第１の被覆部材は、シート状の部材であるので、第１の被覆部材自体の製造が容易である。また、巻き芯に容易に巻きつけることができる。
【００１２】
（５）第１の被覆部材は、弾性体によって形成されているので、スクリーン本体の巻き始めの部分が重なる部分は、適度に変形可能であり、スクリーン本体の厚さによる段差を解消できる。従って、巻き段の発生を防止する効果をさらに高めることができる。
【００１３】
（６）第１の被覆部材は、ポリエチレン、変性ポリエチレン、アクリル、ウレタン、ポリ塩化ビニルのうち少なくとも１つを用いて形成されているので、軟質であり、且つ入手が容易である。また、発泡成形により柔軟化が期待できる。
【００１４】
（７）スクリーン先端挿入部は、巻き芯の長手方向に延在して設けられているので、第１の被覆部材として長方形のシート状の部材を巻き芯に巻きつけるという簡単な方法で形成できる。また、スクリーン本体も一般的な長方形、正方形のものを使用することができる。
【００１５】
（８）第１の被覆部材は、粘着性又は接着性を有するシート状の部材により巻き芯と接合されるので、巻き芯に容易に接合することができる。
【００１６】
（９）第１の被覆部材は、その両面に粘着性又は接着性を有する層が形成されているので、第１の被覆部材を巻き芯に巻きつけるだけで、容易に巻き芯に接合することができる。
【００１７】
（１０）スクリーン先端挿入部は、その幅が０．１〜５ｍｍであるので、スクリーン本体の先端部のみがスクリーン先端挿入部に挿入され、スクリーン本体の厚みによる段差が緩やかになる。従って、巻き取ったまま長期保管した場合にも、スクリーン本体に筋状の巻き段が発生することがない。
【００１８】
（１１）第１の被覆部材は、その厚さが０．１〜３ｍｍであるので、巻き芯にスクリーン本体を巻き取った収納時の径が大きくならず、収納時にかさ張ることなく巻き段の発生を防止できる。また、第１の被覆部材は、スクリーン本体と巻き芯とを接合する機能を有するので、第１の被覆部材が厚くなりすぎると、使用時に、せん断強度が低下してスクリーン本体が巻き芯から脱落するおそれがあるが、この範囲内とすることにより、これを防止できる。
【００１９】
（１２）スクリーン先端挿入部及びスクリーン本体の先端部を覆うように貼り付けられた、シート状の第２の被覆部材を有するので、巻き取られて巻き芯を周回してスクリーン先端挿入部上に重なるスクリーン本体部分が、スクリーン先端挿入部に落ち込むことがなく、巻き段の発生を防止できる。また、スクリーン本体と第１の被覆部材との接合性をさらに高めることができる。
【００２０】
（１３）第２の被覆部材は、その厚みが１００μｍ以下であるので、スクリーン先端挿入部及びスクリーン本体の先端部を覆うように貼り付けても、新たな段差を生じさせることがなく、巻き段の発生を防止できる。
【００２１】
（１４）反射型映像表示システムは、巻き取り型反射スクリーンを備えているので、スクリーン本体を巻き芯に巻き取って長期間保管する場合等に、スクリーン本体に筋状に生じる巻き段の発生を防止でき、使用時にスクリーンの平面性を高く維持することができる。従って、良好な映像を表示できる。
【発明を実施するための最良の形態】
【００２２】
本発明は、巻き取り収納が可能であり、スクリーン本体に筋状の跡等の巻き段が付かず、使用時に平面性を保つことができる巻き取り型反射スクリーン、及び、これを備えた反射型映像表示システムを提供するという目的を、巻き芯に第１の被覆部材を備え、溝状のスクリーン先端挿入部を形成することにより実現した。
【実施例１】
【００２３】
図１は、本発明による巻き取り型反射スクリーンの実施例１を備えた反射型映像表示システムの使用状態を示す図である。なお、図１を含め以下に示す各図は、説明のため、各部の寸法、形状等を適宜誇張して示している。
反射型映像表示システムは、巻き取り型反射スクリーン１０と、映像光を投射するプロジェクター光学エンジン部（映像源）Ｌを備えている。
本実施例の巻き取り型反射スクリーン１０は、映像源Ｌから投影された映像光を観察者Ｏ側へ反射させて観察可能とする反射スクリーンであり、スクリーン本体１１０，収納部１２，錘部１３等を備えている。
スクリーン本体１１０は、映像源Ｌから投影された映像光を反射して観察可能に表示とするシート状の部材であり、本実施例では、塩化ビニル製の白色のシートが用いられ、その厚さは０．４ｍｍである。なお、スクリーン本体の厚さは、０．０５〜１ｍｍが好ましい。また、本実施例のスクリーン本体１１０は、映像光を反射して観察可能とする画面サイズは８０インチである。
【００２４】
収納部１２は、不使用時等に、巻き取ったスクリーン本体１１０をその内部に収納する部分である。収納部１２は、金属又はプラスチック製等の中空の部材であり、その軸方向に、スクリーン本体１１０を引き出し可能なスリット等が形成されている。収納部１２の内部には、後述する巻き芯１２０が備えられており、スクリーン本体１１０の一端は、この巻き芯１２０に取り付けられている。
錘部１３は、スクリーン本体１１０の巻き芯１２０に取り付けられる一端とは反対側の端部に設けられた部分である。この錘部１３は、十分な荷重を有し、その荷重によって、巻き取り型反射スクリーン１０の使用状態での平面性を高める効果を有する。本実施例では、錘部１３は、金属製の丸棒状の部材であり、スクリーン本体１１０の一端が巻きつけられ、接着されている。
本実施例の巻き取り型反射スクリーン１０は、スクリーン本体１１０の巻き取りを、スプリングの付勢力によって巻き取りを行うスプリング巻上げ式の反射スクリーンである。しかし、これに限らず、例えば、スクリーン本体の巻き取りを電動で行う電動式巻き取り型や、パンタグラフを複数組み合わせた伸縮機構による下からの持ち上げによってスクリーン本体の巻き取りを行う方式であってもよい。
【００２５】
図２は、実施例１の巻き取り型反射スクリーン１０の収納部１２内の巻き芯１２０とスクリーン本体１１０との関係を説明する断面図である。
収納部１２内には、巻き芯１２０が回転可能に備えられ、スクリーン本体１１０の錘部１３が設けられている側とは反対側の先端部１１０ａが巻き芯１２０に取り付けられている。また、収納部１２、巻き芯１２０の両端部には、不図示のバネ等が設けられており、巻き芯１２０は、巻き取り方向に付勢されている。
巻き芯１２０は、金属又はプラスチック製等の円筒面を有する部材であり、その円筒面でスクリーン本体１１０を巻き取ることができる。本実施例では、巻き芯１２０は、アルミニウム製であり、外径は５０ｍｍであり、中空に形成されている。
【００２６】
第１の被覆部材１３０は、巻き芯１２０の円筒面を覆うように設けられた部材である。この、第１の被覆部材１３０は、弾性体を用いて形成されたシート状の部材（フィルム状の部材も含む）であり、その両面に粘着性を有する両面テープが用いられている。
本実施例では、第１の被覆部材１３０は、ポリエチレン系の材料を用いて形成された、厚さ１ｍｍの両面テープである。なお、この厚さは、圧力等で潰れる前の厚さである。
ここで、本実施例では、第１の被覆部材１３０は、弾性体として潰れやすく、かつ、復元力のある発泡体であるポリエチレン系の材料（以下、発泡ポリエチレン系の材料とする）を用いたが、これに限らず、変性ポリエチレン、アクリル、ウレタン、ポリ塩化ビニルを用いることが、柔軟であり低コストであるという理由から好ましい。また、第１の被覆部材としては、これに限らず、ゴム等を用いてもよい。
【００２７】
スクリーン先端挿入部１４０は、第１の被覆部材１３０の表面よりも凹んだ、言い換えると、底面の低い溝形状であって、スクリーン本体１１０の先端部１１０ａが挿入された部分である。スクリーン先端挿入部１４０は、第１の被覆部材１３０が巻き芯１２０の円筒面を部分的に覆わないように貼付して、巻き芯１２０の長手方向に形成されている。このスクリーン先端挿入部１４０の幅（巻き芯１２０の円筒面での距離）は４ｍｍである。
本実施例では、第１の被覆部材１３０は、長方形のシート状の部材であり、その長辺の長さは、巻き芯１２０の長手方向（軸方向）の長さに等しく１６３０ｍｍであり、短辺の長さは、巻き芯１２０の外周１５７ｍｍよりも４ｍｍ短く、１５３ｍｍである。この第１の被覆部材１３０の長辺を巻き芯１２０の軸方向に合わせ、短辺を巻き芯１２０の周方向に巻きつけて貼付することにより、幅が４ｍｍ、深さ１ｍｍのスクリーン先端挿入部１４０が形成されている。
【００２８】
スクリーン本体１１０は、巻き芯１２０を部分的に覆わないようにして第１の被覆部材１３０を貼り付けることにより形成されたスクリーン先端挿入部１４０に、その先端部１１０ａが挿入されている。スクリーン本体１１０は、第１の被覆部材１３０を介して巻き芯１２０に巻きつけて接合されている。
【００２９】
本実施例によれば、スクリーン先端挿入部１４０にスクリーン本体１１０の先端部１１０ａが挿入されているので、スクリーン本体１１０の厚みによる段差が緩やかになる。従って、巻き取って長期保管した場合等に、スクリーン本体１１０の厚みによる段差に起因してスクリーン本体１１０に生じる巻き段を防止できる。
また、第１の被覆部材１３０は、両面テープであるので、容易にスクリーン本体１１０と巻き芯１２０とを接合できる。第１の被覆部材１３０により、スクリーン本体１１０を略１周回分巻きつけて巻き芯１２０と接合することができるので、スクリーン本体１１０と巻き芯１２０との接合性を向上させることができる。
さらに、第１の被覆部材１３０は、圧力等によって、潰れやすく、かつ、復元力も有している弾性体を用いて形成されているので、スクリーン本体１１０の巻き始め部分と重なる部分が変形することによって、スクリーン本体１１０の厚みによる段差を緩やかにする。従って、巻き段の防止に、より効果的である。
さらにまた、スクリーン先端挿入部１４０は、第１の被覆部材１３０を巻き芯１２０に巻きつけるだけで形成されるので、形成が容易であり、作業工程の短縮、生産コストの低減等を図ることができる。
【実施例２】
【００３０】
図３は、本発明による巻き取り型反射スクリーンの実施例２の収納部１２内の巻き芯１２０とスクリーン本体２１０との関係を説明する断面図である。
実施例２の巻き取り型反射スクリーン２０は、スクリーン本体２１０の厚さ，第１の被覆部材２３０の厚さ，スクリーン先端挿入部２４０の幅が異なる点、第２の被覆部材２５０が設けられた点の他は、実施例１に示した巻き取り型反射スクリーン１０と略同様の形態である。
なお、以下に示す各実施例において、前述した実施例１の反射スクリーン１０と同様の機能を果たす部分には、同一の符号を付して、重複する説明を適宜省略する。
スクリーン本体２１０は、ＰＥＴ（ポリエチレンテレフタレート）製の白色のシート状の部材であり、その厚さは０．１ｍｍである。
第１の被覆部材２３０は、発泡ポリエチレン系の材料を用いた厚さ０．５ｍｍの両面テープである。第１の被覆部材２３０は、巻き芯１２０の円筒面を覆うように貼付され、スクリーン先端挿入部２４０が形成されている。スクリーン先端挿入部２４０は、その幅が３ｍｍである。
スクリーン本体２１０は、その先端部２１０ａを、スクリーン先端挿入部２４０に挿入し、第１の被覆部材２３０を介して巻き芯１２０に巻きつけるように接合されている。
【００３１】
第２の被覆部材２５０は、スクリーン先端挿入部２４０とスクリーン本体２１０の先端部２１０ａを覆うように貼り付けられたシート状の部材である。本実施例では、幅２０ｍｍ、厚さ５０μｍのＰＥＴ製の粘着テープを用いている。
なお、第２の被覆部材２５０としては、その厚さが１００μｍ以下のものを用いることが、巻き段の発生を防ぐ上で望ましい。
【００３２】
実施例２においても、巻き段の発生を防止する効果が得られた。
また、第２の被覆部材２５０を用いることにより、スクリーン先端挿入部２４０とスクリーン本体２１０の先端部２１０ａとの間に生じる隙間に、巻き芯１２０を周回してきたスクリーン本体２１０が落ち込むことを防止できる。さらに、実施例２に示したように第１の被覆部材２３０が薄い場合にもスクリーン本体２１０の厚みによる段差を緩やかにすることができる。さらにまた、第２の被覆部材２５０によって、スクリーン本体２１０と巻き芯１２０との接合性をさらに高めることができる。
【実施例３】
【００３３】
図４は、本発明による巻き取り型反射スクリーンの実施例３の収納部１２内の巻き芯１２０とスクリーン本体２１０との関係を説明する断面図である。
実施例３の巻き取り型反射スクリーン３０は、第１の被覆部材３３０自体には粘着性がなく、両面テープ３６０を用いて第１の被覆部材３３０を巻き芯１２０に貼付している点が実施例２とは異なる。
実施例３の巻き取り型反射スクリーン３０は、巻き芯１２０の円筒面に、アクリルフォームを支持体とし、その両面に強粘着アクリル系の粘着剤が塗布されて形成された、厚さ０．１ｍｍの両面テープ３６０（株式会社  寺岡製作所製  Ｎｏ．７８４０）を貼付し、その上に、第１の被覆部材３３０として、厚さ１．５ｍｍの軟質塩化ビニルシートが貼付されている。
第１の被覆部材３３０を巻き芯１２０に貼付することにより形成されるスクリーン先端挿入部３４０は、その幅が３ｍｍである。
スクリーン本体２１０は、実施例２と同様の部材であり、厚さ０．１ｍｍのＰＥＴ製であり、その先端部２１０ａはスクリーン先端挿入部３４０に挿入されている。
スクリーン本体２１０の先端部２１０ａとスクリーン先端挿入部３４０とを覆うように、実施例２に示した例と同様に、幅２０ｍｍ、厚さ５０μｍのＰＥＴ製の粘着テープである第２の被覆部材２５０が貼付されている。
【００３４】
実施例３の巻き取り型反射スクリーン３０においても、実施例１及び実施例２と同様に、巻き段を防止する効果が得られた。
また、第２の被覆部材２５０を、スクリーン本体２１０の先端部２１０ａとスクリーン先端挿入部３４０とを覆うように貼り付けられているので、第１の被覆部材３３０が両面テープではない本実施例の場合にも、スクリーン本体２１０を巻き芯１２０に取り付けることができる。
【実施例４】
【００３５】
図５は、本発明による巻き取り型反射スクリーンの実施例４の収納部１２内の巻き芯１２０とスクリーン本体１１０との関係を説明する断面図である。
実施例４の巻き取り型反射スクリーン４０は、巻き芯１２０に、実施例１に示した第１の被覆部材１３０と略同様の部材である第１の被覆部材４３０を備え、スクリーン先端挿入部４４０を設けている。しかし、スクリーン本体１１０の先端部１１０ａが挿入されるスクリーン先端挿入部４４０の幅は、１０ｍｍである点が実施例１とは異なる。
本実施例によれば、従来の巻き取り型反射スクリーンに比べて、巻き段の発生は軽減された。
【実施例５】
【００３６】
図６は、本発明による巻き取り型反射スクリーンの実施例５の収納部１２内の巻き芯１２０とスクリーン本体２１０との関係を説明する断面図である。
実施例５の巻き取り型反射スクリーン５０は、実施例２に示した巻き取り型反射スクリーン２０と略同様の形状であるが、第１の被覆部材５３０の厚さが実施例２に示した第１の被覆部材２３０よりも薄い点において異なる。
第１の被覆部材５３０は、ポリエステル系の材料を用いた両面テープであり、その厚さは０．０５ｍｍである。また、スクリーン本体２１０の厚さは０．１ｍｍであり、ＰＥＴを用いて形成されている。
スクリーン先端挿入部５４０は、その幅が３ｍｍであり、スクリーン本体２１０の先端部２１０ａが挿入されている。
本実施例によれば、実施例３の巻き取り型反射スクリーンと同様に、従来の巻き取り型反射スクリーンに比べて、巻き段の発生は軽減された。
【００３７】
（比較例との対比）
ここで、以上に説明した実施例１から実施例５までの巻き取り型反射スクリーンの効果を検証するため、以下に示す比較例の巻き取り型反射スクリーンを作製して巻き段の発生を調べた。
図７は、比較例１，比較例２の巻き取り型反射スクリーン６０，７０の巻き芯１２０とスクリーン本体１１０との関係を説明する断面図である。図７（ａ）は比較例１、図７（ｂ）は比較例２を、それぞれ示している。
比較例１及び比較例２の巻き取り型反射スクリーン６０，７０は、実施例１から実施例５までの巻き取り型反射スクリーン１０，２０，３０，４０，５０と同様の巻き芯１２０（アルミニウム製、外径５０ｍｍ）を用いている。
【００３８】
（比較例１）
比較例１の巻き取り型反射スクリーン６０は、図７（ａ）に示すように、第１の被覆部材に相当する部材を備えておらず、巻き芯１２０に、幅２５ｍｍ、厚さ０．１ｍｍ、不織布によって形成された両面テープ６７０を貼付し、その両面テープ６７０によって、スクリーン本体１１０を巻き芯１２０に接合している。
スクリーン本体１１０は、塩化ビニル製の白色のシート状の部材であり、その厚さは０．４ｍｍである。
（比較例２）
比較例２の巻き取り型反射スクリーン７０は、図７（ｂ）に示すように、第１の被覆部材６３０は備えているが、スクリーン先端挿入部に相当する形状が形成されていない点で実施例１の巻き取り型反射スクリーン１０とは異なる。
第１の被覆部材６３０は、その厚さが１ｍｍである発泡ポリエチレン系の両面テープであり、巻き芯１２０の円筒面を全て覆っている。スクリーン本体１１０は、厚さが０．４ｍｍの白色のシート状の部材であり、塩化ビニル製である。
【００３９】
図８は、実施例１から実施例５までの巻き取り型反射スクリーン１０，２０，３０，４０，５０と、比較例１及び比較例２の巻き取り型反射スクリーン６０，７０の各部の寸法等を示した図である。
実際に、実施例１から実施例５、比較例１及び比較例２の各巻き取り型反射スクリーンを作製して巻き段の発生を調べたところ、実施例１から実施例３までの巻き取り型反射スクリーン１０，２０，３０では巻き段は発生せず、平面性の高いスクリーンが得られた。しかし、実施例４及び実施例５の巻き取り型反射スクリーン４０，５０では、反射スクリーンとしての実用上の許容範囲ではあったが、弱い巻き段が発生した。また、比較例１及び比較例２の巻き取り型反射スクリーン６０，７０では、強い巻き段が発生し、投影された映像には歪みが生じ、反射スクリーンとしての実用には適さなかった。
【００４０】
スクリーン先端挿入部４４０の幅が１０ｍｍである実施例４の巻き取り型反射スクリーン４０では、スクリーン先端挿入部４４０の幅が広いため、巻き取り時にスクリーン先端収納部４４０の端部に起因する弱い巻き段が発生した。
このことから、スクリーン先端挿入部は、その幅が０．１〜５ｍｍであることが好ましいことが分った。これは、スクリーン本体の先端部が断裁等により鋭利に尖った形状をしているため、この範囲で形成することにより、スクリーン本体の先端部のみがスクリーン先端挿入部に挿入され、スクリーン本体の厚みによる段差が緩やかになるからである。
【００４１】
また、第１の被覆部材５３０の厚さが０．０５ｍｍであり、０．１〜３ｍｍの範囲外である実施例５の巻き取り型反射スクリーン５０では、スクリーン本体２１０の先端部２１０ａを挿入するのに十分なスクリーン先端挿入部５４０の深さが得られず弱い巻き段が発生した。
このことから、第１の被覆部材は、潰れる前の厚さが０．１〜３ｍｍであることが好ましいことが分った。これは、この範囲内の厚さの第１の被覆部材の変形量及びせん断強度が最適であるため、スクリーン先端収納部として十分な深さが得られ、かつ、スクリーン本体を巻き取った状態での径が大きくならず、収納時にかさ張らないからである。また、入手も容易である。
【実施例６】
【００４２】
図９は、本発明による巻き取り型反射スクリーンの実施例６を備えた反射型映像表示システムの使用状態を示す図である。
本実施例の巻き取り型反射スクリーン８０は、スクリーン本体８１０が、映写領域８１１と接続部８１２を有している点の他は、実施例１に示した巻き取り型反射スクリーン１０と略同様の形態である。
前述の実施例１に示した巻き取り型反射スクリーン１０のスクリーン本体１１０は、その観察面側の全面が映像を表示可能であった。しかし、本実施例の巻き取り型反射スクリーン８０のスクリーン本体８１０は、映像光を反射して観察可能とする映写可能領域８１１と、映像を表示しない接続部８１２とを有している。
映写可能領域８１１は、実施例１に示したスクリーン本体１１０と略同様の部材である。
接続部８１２は、映写可能領域８１１と収納部１２の内部に設けられた不図示の巻き芯との間に設けられ、スカートフィルム、又は、リード部等と呼ばれる部分である。接続部８１２は、ポリカーボネート、ポリエチレンテレフタレート、オレフィン系樹脂、ポリ塩化ビニル、ターポリン等を用いて形成された黒色等のシート状又はフィルム状の部材であり、その一端が映写可能領域８１１と接合され、他端が巻き芯に取り付けられている。
この接続部８１２を巻き芯へ取り付ける方法は、前述の各実施例のいずれかを適宜用いることができ、接続部８１２の先端部は、不図示のスクリーン先端挿入部に挿入されている。従って、巻き芯の外周面と接続部８１２の表面との段差によって生じる巻き段を防止できる。
【００４３】
このような接続部８１２を設けることにより、巻き取り型反射スクリーン８０を天井等に固定した場合に、収納部１２から引き出された接続部８１２の長さに応じて、映像を表示する映写可能領域８１１の高さを観察者Ｏにとって最適な高さに調節することができる。
なお、本実施例では、図９に示すように、接続部８１２は、巻き芯と映写可能領域８１１との間に設けられる例を示したが、これに限らず、錘部１３と映写可能領域８１１との間にも接続部を設けてもよい。
また、映写可能領域８１１の裏面側に、映写可能領域よりも面積の大きい接続部を積層し、巻き芯と接続部が接合されるように設けてもよい。
さらに、映写可能領域８１１は、実施例２に示したスクリーン本体２１０と同様の部材を用いてもよい。
【００４４】
（変形例）
以上説明した実施例に限定されることなく、種々の変形や変更が可能であって、それらも本発明の均等の範囲内である。
（１）実施例１から実施例５までの各実施例において、スクリーン先端挿入部１４０，２４０，３４０，４４０，５４０は、第１の被覆部材１３０，２３０，３３０，４３０，５３０を、スクリーン先端挿入部１４０，２４０，３４０，４４０，５４０に相当する部分が溝状に形成されるように、巻き芯１２０に巻きつけた例を示したが、これに限らず、巻き芯１２０の円筒面を全て覆うように第１の被覆部材を設け、第１の被覆部材上に溝を形成して、スクリーン先端挿入部としてもよい。
【００４５】
（２）実施例１から実施例５までの各実施例において、スクリーン先端挿入部１４０，２４０，３４０，４４０，５４０は、巻き芯１２０の長手方向に直線の溝状に形成される例を示したが、これに限らず、例えば、第１の被覆部材を巻き芯１２０にらせん状に周回させる形で巻きつけ、斜めに形成してもよいし、Ｖ字状に形成してもよい。
【００４６】
（３）実施例１から実施例５までの各実施例において、スクリーン本体１１０，２１０は、白色のシート状の部材である例を示したが、これに限らず、例えば、その観察面側に光を拡散させる粒子等を練り込んだ拡散層を設けたり、裏面側（観察面側とは反対側）に反射効率を向上させるための反射層を設けたりしてもよい。また、適宜着色を施す等してもよい。
【図面の簡単な説明】
【００４７】
【図１】本発明による巻き取り型反射スクリーンの実施例１を備えた反射型映像表示システムの使用状態を示す図である。
【図２】実施例１の巻き取り型反射スクリーン１０の収納部１２内の巻き芯１２０とスクリーン本体１１０との関係を説明する断面図である。
【図３】本発明による巻き取り型反射スクリーンの実施例２の収納部１２内の巻き芯１２０とスクリーン本体２１０との関係を説明する断面図である。
【図４】本発明による巻き取り型反射スクリーンの実施例３の収納部１２内の巻き芯１２０とスクリーン本体２１０との関係を説明する断面図である。
【図５】本発明による巻き取り型反射スクリーンの実施例４の収納部１２内の巻き芯１２０とスクリーン本体１１０との関係を説明する断面図である。
【図６】本発明による巻き取り型反射スクリーンの実施例５の収納部１２内の巻き芯１２０とスクリーン本体２１０との関係を説明する断面図である。
【図７】比較例１，比較例２の巻き取り型反射スクリーン６０，７０の巻き芯１２０とスクリーン本体１１０との関係を説明する断面図である。
【図８】実施例１から実施例５までの巻き取り型反射スクリーン１０，２０，３０，４０，５０と、比較例１及び比較例２の巻き取り型反射スクリーン６０，７０の各部の寸法等を示した図である。
【図９】本発明による巻き取り型反射スクリーンの実施例６を備えた反射型映像表示システムの使用状態を示す図である。
【符号の説明】
【００４８】
１０，２０，３０，４０，５０，８０    巻き取り型反射スクリーン
１１０，２１０，８１０    スクリーン本体
１１０ａ，２１０ａ    先端部
１２０    巻き芯
１３０，２３０，３３０，４３０，５３０    第１の被覆部材
１４０，２４０，３４０，４４０，５４０    スクリーン先端挿入部
２５０    第２の被覆部材
３６０    両面テープ
８１１    映写可能領域
８１２    接続部
【図１】
2007148342.tif 000003
【図２】
2007148342.tif 000004
【図３】
2007148342.tif 000005
【図４】
2007148342.tif 000006
【図５】
2007148342.tif 000007
【図６】
2007148342.tif 000008
【図７】
2007148342.tif 000009
【図８】
2007148342.tif 000010
【図９】
2007148342.tif 000011